(57)【特許請求の範囲】
【請求項１】
カートン廃棄時に、天面および底面を開封してなる筒状のカートンを、コンパクトに折りたたむ易解体カートンであって、
筒状の胴部を形成する各側面と、内底面および外底面とを閉封してなる前記底面と、を少なくとも有するカートンにおいて、
前記内底面と連接する前記側面の下方部分に、水平方向に伸びる切込みからなる初期開封部分を、前記内底面と前記側面とが接する稜線から離れた位置に形成するとともに、前記内底面に、切込みからなる誘導部分を形成することにより、
カートン廃棄時に、前記初期開封部分および前記誘導部分を介して、カートンの底面を容易に開封可能に構成したことを特徴とする、易解体カートン。
【請求項２】
前記内底面と前記側面とが接する前記稜線に、切込みからなる誘導部分を形成したことを特徴とする、請求項１記載の易解体カートン。
【請求項３】
前記内底面と前記側面とが接する前記稜線に形成した切込みからなる前記誘導部分は、前記初期開封部分の両端から前記稜線に降ろした鉛直線と切込みで交点を有するとともに、該切込みの内側端部は前記初期開封部分の端部より内方に位置していることを特徴とする、請求項２記載の易解体カートン。
【発明の詳細な説明】
【技術分野】
【０００１】
本発明は、カートン廃棄時に、カートンの底面部分を開封して、カートンをコンパクトに折りたたむ易解体カートンに関する。
【背景技術】
【０００２】
従来、レトルト食品や各種包装体等の内容物を収容した外箱であって、図１４（ａ）に示すように、天面６を開封して内容物を取り出す構成のカートンＡが知られている（例えば、特許文献１）。
このようなカートンＡは、カートンの開封時において、カートン後側面２と天面６との稜線を起点に、カートン側面２（後側面２）にかけて形成された、略円弧状の切込みからなる初期開封部分１１を押し込むことで、図１４（ｂ）に示すように、後側面２の一部を切除した後、図１５（ａ）に示すように、天面を構成する内天面７および外天面６を、それぞれ開封して、図１５（ｂ）に示すように、内容物Ｂを取り出す構成である。
【０００３】
通常、このようなカートンＡは、個包装された内容物Ｂを、単に収容する外箱Ａとして用いられることが多く、内容物Ｂを取り出した直後において、外箱としてのカートンＡが不要となるため廃棄する構成である。
【０００４】
しかしながら、カートンＡの底面を開封するための工夫がなされておらず、カートンの廃棄時において、未開封の底面部分が、依然、立体形状をなしており、カートン廃棄時の容量がかさばるという問題があった。
【０００５】
また、このようなカートンＡを折りたたみ廃棄する際には、図１６に示すように、外底面８と内底面９とを引き裂いて底面部分を開封する必要があるため、カートンＡの廃棄時に、底面部分の開封に手間を要する、底面８，９の貼合箇所８'、９'が裂けてしまいカートンの意匠性を損なう、等の問題があった。
【０００６】
このため、カートンＡを開封するための前記初期開封部分１１を、底面部分を開封するため、後側面２の下方部分にも形成することが考えられるが、後側面２の下方部分には、賞味期限や、バーコード等の種々印刷Ｐを施すスペースが必要であり、この部分に略円弧状の切込みからなる初期開封部分を形成することは敬遠されていた。
特に、小さなカートンＡでは、後側面２の印刷スペースＰが限られるため、前記初期開封部分１１を上下にそれぞれ形成すると、後側面２の印刷スペースＰがさらに限られてしまうという問題がある。
【０００７】
また、たとえ大きなカートンＡであっても、初期開封部分１１を上下に形成した場合、カートンの開封部分を誤認しやすく、カートンを上下逆さに開封してしまい内容物Ｂを反対（底部分）から取り出してしまう恐れがある。さらには、円弧状の切込みからなる初期開封部分１１を、カートンの上下に形成すると、カートンＡの強度が弱くなる、充填機適正が低下する、といった種々問題が生じてしまう。
【０００８】
【特許文献１】特開２００５−２６３２７９号公報
【発明の開示】
【発明が解決しようとする課題】
【０００９】
本発明は、主に、内容物の外箱として用いられるカートンにおいて、カートン廃棄時に、カートンの底面を容易に開封可能とし、コンパクトな形状でカートンを廃棄することが可能な、易解体カートンを提供することを課題とする。
さらには、カートン側面に施された印刷スペースの僅かな隙間部分を利用して、底面の初期開封部分を形成することで、意匠性を損なうことのない、易解体カートンを提供することを課題とする。
【課題を解決するための手段】
【００１０】
上記課題を解決すべく、本発明の請求項１記載の発明は、カートン廃棄時に、天面および底面を開封してなる筒状のカートンを、コンパクトに折りたたむ易解体カートンであって、筒状の胴部を形成する各側面と、内底面および外底面とを閉封してなる前記底面と、を少なくとも有するカートンにおいて、前記内底面と連接する前記側面の下方部分に、水平方向に伸びる切込みからなる初期開封部分を、前記内底面と前記側面とが接する稜線から離れた位置に形成するとともに、前記内底面に、切込みからなる誘導部分を形成することにより、カートン廃棄時に、前記初期開封部分および前記誘導部分を介して、カートンの底面を容易に開封可能に構成したことを特徴とする、易解体カートンである。
【００１１】
また、請求項２記載の発明は、前記内底面と前記側面とが接する前記稜線に、切込みからなる誘導部分を形成したことを特徴とする、易解体カートンである。
さらに、請求項３に記載の発明は、前記内底面と前記側面とが接する前記稜線に形成した切込みからなる前記誘導部分は、前記初期開封部分の両端から前記稜線に降ろした鉛直線と切込みで交点を有するとともに、該切込みの内側端部は前記初期開封部分の端部より内方に位置していることを特徴とする、易解体カートンである。
【発明の効果】
【００１２】
本発明の請求項１記載の発明は、カートン廃棄時に、天面および底面を開封してなる筒状のカートンを、コンパクトに折りたたむ易解体カートンであって、筒状の胴部を形成する各側面と、内底面および外底面とを閉封してなる前記底面と、を少なくとも有するカートンにおいて、前記内底面と連接する前記側面の下方部分に、水平方向に伸びる切込みからなる初期開封部分を、前記内底面と前記側面とが接する稜線から離れた位置に形成するとともに、前記内底面に、切込みからなる誘導部分を形成することにより、カートン廃棄時に、前記初期開封部分および前記誘導部分を介して、カートンの底面を容易に開封することが可能である。
【００１３】
また、請求項２記載の発明は、前記内底面と前記側面とが接する前記稜線に、切込みからなる誘導部分を形成したことを特徴とするから、カートンの底面を開封する際に、前記稜線の誘導部分を介して、前記側面の初期開封部分と、前記内底面の誘導部分とが、スムースに切除される効果がある。
さらに、請求項３記載の発明は、前記内底面と前記側面とが接する前記稜線に形成した切込みからなる前記誘導部分は、前記初期開封部分の両端から前記稜線に降ろした鉛直線と切込みで交点を有するとともに、該切込みの内側端部は前記初期開封部分の端部より内方に位置していることを特徴とするから、前記初期開封部分から紙を破断していく際に、紙の性質上、破断の幅が前記誘導部分の方向に向かって狭くなっていっても、破断線が前記誘導部分の切込みと交わりやすくなり、底面の開封がより確実なものになる。
【００１４】
特に、本発明のカートンは、カートン側面に施された印刷部分の僅かな隙間部分を利用して、底面の開封部分を形成することで、意匠性を損なうことなく、かつ、カートンの強度を低下することなく、カートンの底面を開封することが可能な易解体カートンを提供することが可能である。
【発明を実施するための最良の形態】
【００１５】
本発明に係る易解体カートン１０（カートン１０）の一例としては、図１（ａ）（ｂ）に示すように、カートン１０の天面部分６を開封して内容物を取り出すカートン１０であって、カートンの側面（後側面２）の上方部分には、カートンの天面６を開封するための、略円弧状の切込みＳからなる初期開封部分１１（図中、開け口）が形成されている。
【００１６】
通常、このような形態のカートン１０は、内容物を取り出した直後において、外箱であるカートン１０を廃棄するが、未開封の底面部分が立体形状をなしており、カートンの容量がかさばるため、底面部分を開封してカートンを折りたたむことで、コンパクトな形状としてカートンを廃棄することが望ましい。
【００１７】
よって、本発明のカートン１０は、カートン廃棄時において、カートンの底面部分８を容易に開封可能に構成した点に特徴があり、カートンの側面（後側面２）の下方部分に形成された、略水平形状の切込みからなる初期開封部分１３を用いて、カートンの底面部分を容易に開封し、カートン１０を折りたたみコンパクトな形状で廃棄することが可能である。
【００１８】
特に、カートンの後側面２に施された各種印刷部分Ｐの僅かな隙間部分を利用して、初期開封部分１３を形成することが可能であり、カートンの意匠性を損なうことなく、さらには、後側面２に施される印刷スペースが制限されることなく、底面を開封するための初期開封部分１３を形成することが可能である。
【００１９】
以下に、本発明のカートン構成について説明する。
まず、本発明の易解体カートン１０に係るブランクの一例としては、図２に示すように、カートンの胴部を形成する各側面（左側面３、前面１、右側面４、後側面２、貼合面５）がそれぞれ縦折り線を介して横方向へと連設し、カートンの天面および底面を構成する各面（外天面６、内天面７、外底面８、内底面９、サイドフラップＦ）が、前記各側面（１，２，３，４）より横方向の折り線を介して連設されている。
【００２０】
すなわち、前面１の上下に外天面６および外底面８がそれぞれ連設されるとともに、前記後側面２の上下に内天面７および内底面９がそれぞれ連設されている。また、前記左右の側面３、４からは、上下にサイドフラップＦがそれぞれ連設されている。
【００２１】
特に、前記後側面２の上方部分には、略円弧形状の切込みＳからなる初期開封部分１１が形成されるとともに、さらに、後側面２の上方に連設する内天面７には、略ハ字状に形成された切込みＳからなる誘導部分１２が形成されている。これにより、後述する、カートン開封時において、前記初期開封部分１１を押し込み、後側面の一部を切除するとともに、天面部分６をつまみ引き上げることにより、内天面７の略ハ字状の誘導部分１２が切除されて、天面部分６を容易に開封することが可能である。
【００２２】
他方、前記後側面２の下方部分には、略水平形状の切込みＳからなる初期開封部分１３が形成されるとともに、前記後側面２と前記内底面９とが接する稜線に沿って切込みＳからなる誘導部分１４が形成されている。さらに、後側面２の下方に連設する内底面９には、略ハ字状に形成された切込みＳからなる誘導部分１５が形成されている。
【００２３】
これにより、後述する、カートン１０の廃棄時において、前記初期開封部分１３を押し込むことで、後側面２の一部を切除し、さらに、後側面２を下方にかけて切除することで、前記初期開封部分１３が誘導部分１４にまで達する。そして、底面部分をつまみ開封することにより、さらに内底面９の誘導部分１５が切除されて、底面部分を容易に開封することが可能である。
【００２４】
よって、カートン１０を平面状に折りたたみコンパクトな形状で廃棄することが可能である。また、底面を開封する際に、内底面９と外底面９とが誘導部分１４，１５に沿ってきれいに切除されるため、カートン１０の意匠性を損なうことなく、底面部分を開封することが可能である。
【００２５】
また、本発明のカートン１０は、カートン側面に施された印刷部分の僅かな隙間部分を利用して、底面の開封部分を形成することで、後側面２の印刷スペースに制限を生じることなく、かつ、カートン１０の強度を低下することなく、底面の開封部分を形成することが可能である。
【００２６】
次に、このようなブランクから本発明のカートンを形成する方法について説明する。
まず、図３（ａ）に示すように、前記ブランクの前記各側面１，２，３，４を筒状に折り込み、貼合面５において貼り合わせることにより、図３（ｂ）に示すように、筒状のカートンを形成する。
【００２７】
そして、図４（ａ）に示すように、カートンの天面部分を構成する各面（外天面６、内天面７、サイドフラップＦ）をそれぞれ内方へと折り込み、内天面７と外天面６とを貼り合わせることにより、図４（ｂ）に示すように、カートンの天面部分を形成する。
【００２８】
次に、図５（ａ）に示すように、カートンの底面部分を構成する各面（外底面８、内底面９、サイドフラップＦ）を内方へと折り込み、内底面９と外底面８とを貼り合わせて、図５（ｂ）に示すように、カートンの底面部分を形成し、本発明のカートン１０を形成することが可能である。
【００２９】
次に、本発明のカートン１０を開封する際の一例について説明する。
まず、カートン１０の開封時には、カートン１０の天面部分を開封すべく、図６（ａ）に示すように、カートン後側面２の上方部分に形成された初期開封部分１１を内方へと押し込み、後側面２の一部を切除した後、前記天面６をつまみ開封することにより、内天面７の前記誘導箇所１２が破断して、図６（ｂ）に示すように、カートン１０の天面部分を開封することが可能である。
【００３０】
次に、本発明のカートンを廃棄する際に、カートンの底面部分を開封して、カートンをコンパクトな形状に折りたたむ方法について説明する。
まず、カートンの底面部分を開封する際に、図７に示すように、カートンの後側面２かつ下方部分に形成された複数の切込みＳからなる初期開封部分１３の直下を、指先で押し込み後側面２の一部を切除する。
【００３１】
そして、さらに後側面２を内方へと押し込むことで、図８（ａ）に示すように、指先の形状に沿って後側面２が切除されて、該切除部分が後側面２と内底面９との稜線に達すると、さらに前記稜線に沿って形成された誘導部分１４を介して、内底面９に形成された略ハ字状の誘導部分１５が切除され、図８（ｂ）に示すように、カートンの底面８，９を容易に開封することが可能である。
【００３２】
そして、図９（ａ）に示すように、カートンの底面部分を構成する各面（外底面８、内底面９、サイドフラップＦ）をそれぞれ開き、図９（ｂ）に示すように、カートンを折りたたむことにより、コンパクトな平面形状でカートンを廃棄することが可能である。
【００３３】
このように、本発明のカートン１０は、カートン廃棄時に、天面および底面を開封してなる筒状のカートンを、コンパクトに折りたたむ易解体カートン１０であって、筒状の胴部を形成する各側面１，２，３，４と、内底面９および外底面８とを閉封してなる底面と、を有するカートン１０において、前記内底面９と連接する前記側面２の下方部分に、水平方向に伸びる切込みＳからなる初期開封部分１３を、前記内底面９と前記後側面２とが接する稜線から離れた位置に形成するとともに、前記内底面９に、切込みＳからなる誘導部分１５を形成することにより、後側面２の初期開封部分１１および内天面７の誘導部１２を介して、カートン１０の天面部分を開封した後、カートン１０の廃棄時に、後側面２の初期開封部分１３および内底面９の誘導部分１５を介して、カートン１０の底面８、９を容易に開封することが可能であり、カートン１０を折りたたみコンパクトに廃棄することが可能である。
【００３４】
特に、本発明のカートン１０は、カートン側面２に施された印刷部分の僅かな隙間部分を利用して、初期開封部分１３を形成することで、意匠性を損なうことなく、かつ、カートン１０の強度を低下することなく、カートンの底面８，９を開封することが可能な易解体カートン１０を提供することが可能である。
【００３５】
また、本発明のカートン１０は、前記内底面９と前記側面２とが接する稜線に、切込みＳからなる誘導部分１４を形成することにより、カートンの底面８，９を開封する際に、前記稜線の誘導部分１４を介して、前記後側面２の初期開封部分１３と、前記内底面９の誘導部分１５とが、スムースに切除される効果がある。
【００３６】
さらには、前記内底面９と前記側面２とが接する稜線に、切込みＳからなる誘導部分１４を形成することで、カートン後側面２の印刷スペースに制限を生じることなく、前記初期開封部分１３を形成することが可能であり、例えば、前記初期開封部分１３は、印刷部分を避けて、後側面２の左寄り（若しくは右寄り）にオフセットして形成してもよく、前記稜線の誘導部分１４を介して、内底面９の誘導部分１５へとスムースに切除される効果がある。
【００３７】
この場合のブランクの一例としては、図１０に示すように、図示しない印刷部分を避けて、前記初期開封部分１３を左方へとオフセットして形成する。
そして前記後側面２と前記内底面９とが接する稜線に形成した複数の切込みＳからなる誘導部分１４は、前記初期開封部分１３を左方へとオフセットした分、誘導部分１４の切込みＳを右方へと複数形成する。
【００３８】
これにより、後述する、カートンの底面部分の開封時において、左寄りの初期開封部分１３から底面部分８，９を開封した場合であっても、稜線の前記誘導部分１４を介して内底面９の誘導部分１５へとスムースに達するため、上述同様、カートンの底面部分を容易かつ確実に開封することが可能である。
さらに、前記内底面９と前記後側面２とが接する前記稜線に形成した切込みＳからなる前記誘導部分１４は、前記初期開封部分１３の両端から前記稜線に降ろした鉛直線と切込みＳで交点を有するとともに、該切込みＳの内側端部は前記初期開封部分１３の端部より内方に位置しているので、前記初期開封部分１３から紙を破断していく際に、紙の性質上、破断の幅が前記誘導部分１４の方向に向かって狭くなっていっても、破断線が前記誘導部分１４の切込みＳと交わりやすくなり、底面８、９の開封がより確実なものになる。
【００３９】
そして、図１１（ａ）に示すように、前記ブランクから形成したカートン１０を開封する際に、図１１（ｂ）に示すように、側面２の初期開封部分１１を押し込み、カートン１０の天面部分６，７を開封する。
【００４０】
次に、内容物を取り出した後、カートン１０を廃棄する際に、まず、カートン後側面２の左寄りに形成された初期開封部分１３を押し込み、図１２（ａ）に示すように、後側面２を下方へと切除する。
【００４１】
そして、カートンの底面部分をつまみ、さらに開封することで、図１２（ｂ）に示すように、後側面２と内底面９との稜線に形成された誘導部分１４に沿って、内底面９が切除され、さらに、内底面９の誘導部分１５に達すると、誘導部分１５に沿って内底面９が切除されて、カートン１０の底面部分をスムースに開封することが可能である。
【００４２】
よって、図１３（ａ）に示すように、天面部分と底面部分とをそれぞれ開封した、筒状のカートンから、図１３（ｂ）に示すように、カートンを折りたたみ平面状のカートンを容易に形成することが可能であり、コンパクトな形状でカートンを廃棄することが可能である。
【００４３】
このように、カートンの印刷部分を避けて、前記初期開封部分１３を左寄り（若しくは右寄り）にオフセットして形成した場合であっても、前記内底面９と前記側面２とが接する稜線に切込みＳからなる誘導部分１４を形成することで、前記稜線の誘導部分１４を介して、内底面９の誘導部分１５がスムースに切除される効果がある。
【００４４】
よって、カートン側面２に施された印刷部分の僅かな隙間部分を利用して、底面の初期開封部分１３を適宜形成することが可能であり、カートンの意匠性を損なうことなく、かつ、カートン１０の強度を低下することなく、カートンの底面８，９を容易に開封することが可能な、易解体カートン１０を提供することが可能である。
【００４５】
以上のように、本発明の易解体カートン１０は、カートン廃棄時に、天面および底面を開封してなる筒状のカートンを、コンパクトに折りたたむ易解体カートンであって、筒状の胴部を形成する各側面１，２，３，４と、内底面９および外底面８とを閉封してなる底面と、を少なくとも有するカートン１０において、前記内底面９と連接する前記側面２の下方部分に、水平方向に伸びる切込みＳからなる初期開封部分１３を、前記内底面９と前記側面２とが接する稜線から離れた位置に形成するとともに、前記内底面９に、切込みＳからなる誘導部分１５を形成することにより、カートン廃棄時に、前記内底面９と連接する前記側面２の下方部分に形成した前記初期開封部分１３および前記誘導部分１５を介して、カートン１０の底面を容易に開封することが可能である。
【００４６】
また、前記内底面９と前記側面２とが接する前記稜線に、切込みＳからなる誘導部分１４を形成したことを特徴とするから、カートンの底面を開封する際に、前記稜線の誘導部分１４を介して、前記後側面２の初期開封部分１３と、前記内底面９の誘導部分１５とが、スムースに切除される効果がある。
さらに、前記内底面９と前記側面２とが接する前記稜線に形成した切込みＳからなる誘導部分１４は、前記初期開封部分１３の両端から前記稜線に下ろした鉛直線と切込みＳで交点を有するとともに、該切込みＳの内側端部は前記初期開封部分１３の端部より内方に位置していることを特徴とするから、前記初期開封部分１３から紙を破断していく際に、紙の性質上、破断の幅が前記誘導部分１４の方向に向かって狭くなっていっても、破断線が前記誘導部分１４の切込みＳと交わりやすくなり、底面８、９の開封がより確実なものになる。
【００４７】
特に、本発明の易解体カートン１０は、カートン側面２に施された印刷部分の僅かな隙間部分を利用して、底面の開封部分を形成することが可能であり、カートンの意匠性を損なうことなく、かつ、カートンの強度を低下することなく、カートンの底面を開封することが可能な、易解体カートン１０を提供することが可能である。
【００４８】
カートンの側面２に形成された前記初期開封部分１３の形状としては、指先で後側面２を容易に切除することが可能な形状であって、かつ、側面２の印刷部分の僅かな隙間部分に形成することが可能な形状であればよく、湾曲形状や矩形状、さらには、水平形状やＶ字形状などが挙げられる。
【００４９】
また、前記初期開封部分１３および前記誘導部分１４、１５の前記切込みＳとしては、ミシン目のみならずスリットや薄肉など、指先で後側面２を軽く押し込んだ際に、少ない力でもって後側面２を切除することが可能な切込みＳであればよく、上記例に限定されるものではない。
【００５０】
また、上記例では、初期開封部分１３が、カートンの後側面２に形成される構成を示したが、カートンを開封して、筒状のカートンを形成することができれば、後側面２に限らず、前側面、左側面、右側面、天面、底面等、カートンの形状に適宜合わせて、上記構成を適用すればよい。
【図面の簡単な説明】
【００５１】
【図１】本発明のカートンの一例を示す図である。（ａ）カートン正面を示す図である。（ｂ）カートン後側面を示す図である。
【図２】ブランクの一例を示す図である。
【図３】（ａ）（ｂ）カートンの組み立てる際の一例を示す説明図である。
【図４】（ａ）（ｂ）カートンの組み立てる際の一例を示す説明図である。
【図５】（ａ）（ｂ）カートンの組み立てる際の一例を示す説明図である。
【図６】（ａ）（ｂ）カートンの開封時を示す説明図である。
【図７】カートンの底面部分を開封する方法を示す説明図である。
【図８】（ａ）（ｂ）カートンの底面部分を開封する一例を示す説明図である。
【図９】（ａ）（ｂ）カートンの底面部分を開封する一例を示す説明図である。
【図１０】ブランクの一例を示す図である。
【図１１】（ａ）（ｂ）カートンの開封する際の一例を示す説明図である。
【図１２】（ａ）（ｂ）カートンの底面部分を開封する一例を示す説明図である。
【図１３】（ａ）（ｂ）カートンの底面部分を開封する一例を示す説明図である。
【図１４】（ａ）（ｂ）従来のカートンを示す図である。
【図１５】（ａ）（ｂ）従来のカートンを示す図である。
【図１６】従来のカートンを示す図である。
【符号の説明】
【００５２】
１  前側面（側面）
２  後側面（側面）
３  左側面（側面）
４  右側面（側面）
５  貼合面
６  外天面（天面）
７  内天面（天面）
８  外底面（底面）
９  内底面（底面）
１０  易解体カートン（カートン）
１１  初期開封部分（側面の切込み）
１２  誘導部分（天面の切込み）
１３  初期開封部分（側面の切込み）
１４  誘導部分（稜線の切込み）
１５  誘導部分（底面の切込み）
Ｓ  切込み
Ｆ  サイドフラップ（フラップ）
Ｐ  印刷（印刷部分）
Ｂ  内容物
【図１】
0005167836.tif 000002
【図２】
0005167836.tif 000003
【図３】
0005167836.tif 000004
【図４】
0005167836.tif 000005
【図５】
0005167836.tif 000006
【図６】
0005167836.tif 000007
【図７】
0005167836.tif 000008
【図８】
0005167836.tif 000009
【図９】
0005167836.tif 000010
【図１０】
0005167836.tif 000011
【図１１】
0005167836.tif 000012
【図１２】
0005167836.tif 000013
【図１３】
0005167836.tif 000014
【図１４】
0005167836.tif 000015
【図１５】
0005167836.tif 000016
【図１６】
0005167836.tif 000017